(57)【要約】【課題】多人数での乗車を促進させつつ、カーシェアリングの利用を促進させる。【解決手段】料金設定サーバは、車両から利用終了情報を取得すると、車両に車内画像データ（乗車数情報）の撮像を要求する（Ｓ１５５）。料金設定サーバは、車両から車内画像データを取得すると、取得した車内画像データから乗車している人数を特定して、乗車人数を設定する（Ｓ１６０）。料金設定サーバは、設定した乗車人数が多い場合、乗車人数が少ない場合よりもカーシェアリングの利用料金を低額に設定する（Ｓ１９０、Ｓ１９５）。【選択図】図７
2019096213.tif 000002
【特許請求の範囲】
【請求項１】
カーシェアリングの利用料金を設定する料金設定サーバであって、
前記カーシェアリングに利用される車両に乗車している乗車人数の情報を取得する情報取得部と、
予め定められた時点における前記乗車人数の情報を用いて特定される乗車人数が多い場合は、前記予め定められた時点における前記乗車人数の情報を用いて特定される乗車人数が少ない場合よりも低額の前記利用料金を設定する料金設定部とを備える、料金設定サーバ。
【請求項２】
前記予め定められた時点は、前記車両の利用終了時である、請求項１に記載の料金設定サーバ。
【請求項３】
前記料金設定部は、前記車両の利用開始時の乗車人数と、前記車両の利用終了時の乗車人数とが異なる場合、前記車両の前記利用終了時の乗車人数を用いて前記利用料金を設定する、請求項１に記載の料金設定サーバ。
【請求項４】
前記車両は電気自動車である、請求項１〜請求項３のいずれか１項に記載の料金設定サーバ。
【請求項５】
前記乗車人数の情報は、前記車両の搭乗者を撮影した画像である、請求項１〜請求項４のいずれか１項に記載の料金設定サーバ。
【請求項６】
カーシェアリングの利用料金を設定する料金設定方法であって、
前記カーシェアリングに利用される車両に乗車している乗車人数の情報を取得するステップと、
予め定められた時点における前記乗車人数の情報を用いて特定される乗車人数が多い場合は、前記予め定められた時点における前記乗車人数の情報を用いて特定される乗車人数が少ない場合よりも低額の前記利用料金を設定するステップとを含む、料金設定方法。
【請求項７】
カーシェアリングに利用される車両と、
前記カーシェアリングの利用料金を設定する料金設定サーバとを備え、
前記料金設定サーバは、
前記車両に乗車している乗車人数の情報を取得し、
予め定められた時点における前記乗車人数の情報を用いて特定される乗車人数が多い場合は、前記予め定められた時点における前記乗車人数の情報を用いて特定される乗車人数が少ない場合よりも低額の前記利用料金を設定する、料金設定システム。
【請求項８】
前記料金設定サーバは、前記乗車人数の情報を前記車両から取得する、請求項７に記載の料金設定システム。
【請求項９】
前記料金設定サーバと通信を行なう通信端末をさらに備え、
前記料金設定サーバは、前記乗車人数の情報を前記通信端末から取得する、請求項７に記載の料金設定システム。
【発明の詳細な説明】
【技術分野】
【０００１】
本開示は、カーシェアリング料金の設定に関する。
【背景技術】
【０００２】
特開２００４−２２７４９７号公報（特許文献１）には、車両の乗車人数が少ないほど高額の通行料を設定する料金システムが開示されている。特許文献１の料金システムでは、車両に設けられた着座センサを用いて乗車人数が検出される。
【先行技術文献】
【特許文献】
【０００３】
【特許文献１】特開２００４−２２７４９７号公報
【発明の概要】
【発明が解決しようとする課題】
【０００４】
近年、複数のユーザが１台の車両を共同で使用するカーシェアリングが普及してきている。カーシェアリングとは、ユーザは自ら車両を所有せずに、カーシェアリングの事業者の会員となり、事業者の所有する車両を適宜利用するというものである。
【０００５】
カーシェアリングは、排気ガスの排出量やＣＯ２排出量の削減などの環境問題への対策や、車両台数の減少による渋滞緩和など（以下、総称して「環境問題等への対策」ともいう）の観点から、その普及が望まれている。さらに、カーシェアリングに用いられる車両（以下、「シェアカー」ともいう）に多人数で乗車することにより、環境問題等への対策がさらに促進される。
【０００６】
そこで、車両に多人数で乗車することを促進させつつ、カーシェアリングの普及につながるようなカーシェアリングの料金設定システムが望まれている。
【０００７】
特許文献１の料金システムは、車両に１人で乗車することを避けさせて、多人数で乗車することを促進するものであるが、カーシェアリングの利用促進に向けられたものではない。
【０００８】
本開示は、上記課題を解決するためになされたものであり、その目的は、多人数での乗車を促進させつつ、カーシェアリングの利用を促進させることである。
【課題を解決するための手段】
【０００９】
本開示に係る料金設定サーバは、カーシェアリングの利用料金を設定する料金設定サーバである。この料金設定サーバは、カーシェアリングに利用される車両に乗車している乗車人数の情報を取得する情報取得部と、予め定められた時点における乗車人数の情報を用いて特定される乗車人数が多い場合は、予め定められた時点における乗車人数の情報を用いて特定される乗車人数が少ない場合よりも低額の利用料金を設定する料金設定部とを備える。
【００１０】
上記構成によれば、料金設定サーバは、予め定められた時点において、シェアカーに乗車している乗車人数の情報を取得し、乗車人数が多い場合は、乗車人数が少ない場合よりも低額の利用料金を設定する。これによって、多人数でシェアカーに乗車することが促進され、環境問題等への対策につながる。また、料金面でのメリットが得られることから、カーシェアリングの利用が促進される。
【００１１】
好ましくは、予め定められた時点は、車両の利用終了時である。
【００１２】
上記構成によれば、車両の利用終了時における乗車人数が利用料金の設定に用いられる。一般に、利用終了の時刻は確定させにくいため、乗車人数の確認が行われる時点においてのみ他人を乗車させて、多人数乗車による利用料金の割引を受けるという不正を抑制することができる。
【００１３】
好ましくは、料金設定部は、車両の利用開始時の乗車人数と、車両の利用終了時の乗車人数とが異なる場合、車両の利用終了時の乗車人数を用いて利用料金を設定する。
【００１４】
一般に、利用終了の時刻よりも利用開始の時刻の方が確定させやすいため、利用開始時は、利用終了時に比べて、乗車人数の確認が行われる時点においてのみ他人を乗車させて、多人数乗車による利用料金の割引を受けるという不正が行われる可能性が高い。上記構成によれば、車両の利用開始時と利用終了時とにおいて乗車人数が異なる場合、利用終了時の乗車人数が利用料金の計算に用いられるので、上記のような不正を抑制することができる。
【００１５】
好ましくは、車両は電気自動車である。
【００１６】
上記構成によれば、電気自動車のカーシェアリング（以下、「ＥＶカーシェアリング」ともいう）の利用が促進される。これにより、ガソリン車やディーゼル車などのカーシェアリングからＥＶカーシェアリングにシフトが進むことによって、より環境問題等への対策が進められる。
【００１７】
好ましくは、乗車数情報は、車両の車内の状態を撮影した画像である。
【００１８】
上記構成によれば、シェアカーに搭載されている車載カメラを有効利用することができる。一般に、シェアカーには防犯目的で車載カメラが搭載されていることが多い。当該車載カメラを利用することによって、新たな設備投資を行なうことなく本開示の適用が可能となる。
【００１９】
本開示の他の局面に係る料金設定方法は、カーシェアリングの利用料金を設定する料金設定方法である。この料金設定方法は、カーシェアリングに利用される車両に乗車している乗車人数の情報を取得するステップと、予め定められた時点における乗車人数の情報を用いて特定される乗車人数が多い場合は、予め定められた時点における乗車人数の情報を用いて特定される乗車人数が少ない場合よりも低額の利用料金を設定するステップとを含む。
【００２０】
本開示のさらに他の局面に係る料金設定システムは、カーシェアリングに利用される車両と、カーシェアリングの利用料金を設定する料金設定サーバとを備える。この料金設定サーバは、車両に乗車している乗車人数の情報を取得し、予め定められた時点における乗車人数の情報を用いて特定される乗車人数が多い場合は、予め定められた時点における乗車人数の情報を用いて特定される乗車人数が少ない場合よりも低額の利用料金を設定する。
【００２１】
好ましくは、料金設定サーバは、乗車人数の情報を車両から取得する。
【００２２】
好ましくは、料金設定サーバと通信を行なう通信端末をさらに備える。料金設定サーバは、乗車人数の情報を通信端末から取得する。
【００２３】
上記構成によれば、車両に乗車人数の情報を取得する手段がない場合であっても、ユーザの通信端末を用いて乗車人数の情報の取得が可能となる。
【発明の効果】
【００２４】
本開示によると、多人数での乗車を促進させつつ、カーシェアリングの利用を促進させることができる。
【図面の簡単な説明】
【００２５】
【図１】実施の形態１に係る料金設定システムの全体構成を概略的に示す図である。
【図２】実施の形態１に係る車両の充電に関する構成の詳細の一例を示す図である。
【図３】実施の形態１に係る料金設定サーバの制御部の構成を示す機能ブロック図である。
【図４】実施の形態１に係る料金設定サーバに記憶されるユーザリストの構成の一例を示す図である。
【図５】実施の形態１に係る料金設定サーバに記憶される割引適用リストの構成の一例を示す図である。
【図６】実施の形態１に係る料金設定サーバおよび車両で実行される車両の利用開始時の処理を示すフロー図である。
【図７】実施の形態１に係る料金設定サーバおよび車両で実行される車両の利用終了時の処理を示すフロー図である。
【図８】実施の形態２に係る料金設定サーバ、通信端末および車両で実行される車両の利用開始時の処理を示すフロー図である。
【図９】実施の形態２に係る料金設定サーバ、通信端末および車両で実行される車両の利用終了時の処理を示すフロー図である。
【発明を実施するための形態】
【００２６】
以下、本開示の実施の形態について、図面を参照しながら詳細に説明する。なお、図中同一または相当部分には同一符号を付してその説明は繰り返さない。
【００２７】
（料金設定システム１の全体構成について）
【００２８】
図１は、料金設定システム１の全体構成を概略的に示す図である。以下においては、実施の形態１および実施の形態２に係る料金設定システム１の全体構成を説明し、その後に実施の形態１および実施の形態２のそれぞれについて説明する。
【００２９】
図１に示すように、実施の形態１に係る料金設定システム１は、料金設定サーバ１００と、通信端末２００と、電気自動車である車両３００とを備える。なお、実施の形態１においては、一例として車両３００が電気自動車である例について説明するが、ハイブリッド自動車や、プラグインハイブリッド自動車や、ガソリン車や、ディーゼル車などであってもよい。
【００３０】
通信端末２００は、実施の形態１に係る料金設定システム１を利用するユーザが使用する通信端末であり、たとえば、スマートフォンやノート型パーソナルコンピュータなどである。ユーザは、通信端末２００を用いて、料金設定システム１を用いたＥＶカーシェアリングの会員登録を行なったり、ＥＶカーシェアリングの車両の予約を行なったりする。
【００３１】
料金設定サーバ１００は、通信部１１０と、記憶部１２０と、制御部１３０とを含む。各構成は、通信バス１４０によって通信可能に接続されている。
【００３２】
通信部１１０は、たとえば、通信端末２００の通信部２１０や車両３００の通信部３１０との通信が可能となるように構成される。通信部１１０と、通信部２１０や通信部３１０との通信は、インターネットまたは電話回線などの通信ネットワーク６００を介して互いに行なわれる。
【００３３】
記憶部１２０は、たとえば、ハードディスクまたはソリッドステートドライブ等の大容量の記憶装置を含む。記憶部１２０には、ＥＶカーシェアリングに会員登録しているユーザの情報やシェアカーの情報などが記憶されている。また、記憶部１２０には、ユーザ毎のＥＶカーシェアリングの利用に関する情報を登録したユーザリスト５００が記憶されている。また、記憶部１２０には、予め作成された割引適用リスト７００が記憶されている。ユーザリスト５００および割引適用リスト７００の詳細については、後述する。
【００３４】
制御部１３０は、ＣＰＵ（Central  Processing  Unit）１３０ａと、メモリ（ＲＯＭおよびＲＡＭ）１３０ｂと、各種信号を入出力するための入出力ポート（図示せず）などを含む。制御部１３０は、記憶部１２０に記憶された情報や、通信端末２００や車両３００から通信部１１０を経由して受信する情報に基づいて所定の演算処理を実行するように構成される。また、制御部１３０は後述するように、車内の搭乗者の撮像を要求する撮像要求を通信端末２００または車両３００のいずれか一方に送信する。制御部１３０の詳細については後述する。
【００３５】
なお、実施の形態１においては、制御部１３０は、車両３００に撮像要求を送信する例を示し、実施の形態２においては、制御部１３０は、通信端末２００に撮像要求を送信する例を示す。
【００３６】
通信端末２００は、通信部２１０と、記憶部２２０と、制御部２３０と、入力部２４０と表示部２５０と、撮像部２６０とを含む。各部は、通信バス２８０によって通信可能に接続されている。
【００３７】
通信部２１０は、料金設定サーバ１００の通信部１１０との通信が可能となるように構成される。通信部２１０と通信部１１０との通信は、通信ネットワーク６００を介して互いに行なわれる。
【００３８】
記憶部２２０は、たとえば、フラッシュメモリ、ハードディスクあるいはソリッドステートドライブ等の大容量の記憶装置を含む。
【００３９】
制御部２３０は、たとえば、記憶部２２０に記憶された情報や料金設定サーバ１００から通信部２１０を経由して受信する情報に基づいて所定の処理を実行するように構成される。実施の形態２においては、制御部２３０は、車内の搭乗者の撮像を要求する撮像要求を料金設定サーバ１００から取得すると、表示部２５０にその旨を表示させて、ユーザに車内の状態の撮影を促す。
【００４０】
入力部２４０は、通信端末２００における入力装置である。入力部２４０は、キーボード、マウス、タッチパネルなどで構成され、キーボード、マウス、タッチパネルなどに対する入力操作を受け付ける。
【００４１】
表示部２５０は、制御部２３０の制御に従って画像を表示する表示装置である。表示部２５０は例えば液晶パネルなどで実現される。
【００４２】
撮像部２６０は、撮影した画像を取得するためのカメラである。具体的には、撮像部２６０は、光学レンズ及びイメージセンサなどを有している。実施の形態２においては、撮像部２６０は、撮像要求に応じた撮影により取得した画像データ（以下、「車内画像データ」ともいう）を制御部２３０に出力する。
【００４３】
車両３００は、通信部３１０と、記憶部３２０と、制御部３３０と、位置情報取得部３４０と、撮像部３５０とを含む。各部は、通信バス３６０によって通信可能に接続されている。
【００４４】
通信部３１０は、料金設定サーバ１００の通信部１１０との通信が可能となるように構成される。通信部３１０と通信部１１０との通信は、通信ネットワーク６００を介して互いに行なわれる。
【００４５】
記憶部３２０は、たとえば、不揮発性メモリ、ハードディスクまたはソリッドステートドライブ等を含む記憶装置である。記憶部３２０は、たとえば、車両３００の位置に関する情報などを記憶する。
【００４６】
制御部３３０は、たとえば、ＣＰＵ３３０ａと、メモリ（ＲＯＭおよびＲＡＭ）３３０ｂと、各種信号を入出力するための入出力ポート（図示せず）等を含む。制御部３３０は、記憶部３２０に記憶された情報に基づいて所定の演算処理を実行するように構成される。実施の形態１においては、制御部３３０は、撮像要求を料金設定サーバ１００から取得すると、撮像部３５０に車内の搭乗者の撮像を行なうように撮像指示を送る。
【００４７】
また、制御部３３０は、たとえば、車両３００がＲＥＡＤＹ−ＯＦＦ状態からＲＥＡＤＹ−ＯＮ状態に移行した場合に、車両３００の利用を開始することを通知する利用開始情報とともに、車両３００を特定するための情報である車両情報を通信部３１０を介して料金設定サーバ１００に送信する。制御部３３０は、車両３００がＲＥＡＤＹ−ＯＮ状態からＲＥＡＤＹ−ＯＦＦ状態に移行した場合に、車両３００の利用を終了することを通知する利用終了情報を料金設定サーバ１００に送信する。なお、ＲＥＡＤＹ−ＯＮ状態とは、車両が走行可能な状態をいい、ＲＥＡＤＹ−ＯＦＦ状態とは、車両が走行不能な状態をいう。
【００４８】
また、車両の利用開始および利用終了を、車両３００へのカードキーの抜き差しで検出するようなＥＶカーシェアリングにおいては、車両３００へのカードキーの抜き差しによって利用開始情報や利用終了情報が料金設定サーバ１００へ送信されてもよい。制御部３３０は、車両３００へカードキーが挿入されると、利用開始情および車両情報を通信部３１０を介して料金設定サーバ１００に送信する。制御部３３０は、車両３００からカードキーを抜く操作がされると、利用終了情報を通信部３１０を介して料金設定サーバ１００に送信する。
【００４９】
位置情報取得部３４０は、車両３００の現在位置を取得するように構成される。位置情報取得部３４０は、たとえば、ＧＰＳ（Global  Positioning  System）を用いて車両３００の現在位置を取得する。位置情報取得部３４０は、取得した車両３００の現在位置を示す位置情報を制御部３３０に送信する。
【００５０】
撮像部３５０は、撮影した画像を取得するためのカメラである。具体的には、撮像部３５０は、光学レンズ及びイメージセンサなどを有している。実施の形態１においては、撮像部３５０は、制御部３３０から撮像指示を受けると、車内の搭乗者を撮影し、撮影により取得した画像データ（車内画像データ）を制御部３３０に出力する。
【００５１】
図２は、実施の形態１に係る車両の充電に関する構成の詳細の一例を示す図である。なお、図２においては、図１で示した通信部３１０や制御部３３０等は図示していない。
【００５２】
図２に示すように、車両３００は、充電器３０５と、蓄電装置３０７と、インバータ３０８と、モータジェネレータ３０９と、インレット３１１とをさらに含む。
【００５３】
充電器３０５は、インレット３１１に充電スタンド９００の充電コネクタ９０２が取り付けられた場合に、外部の電源８００から供給される電力を用いて蓄電装置３０７を充電する。
【００５４】
蓄電装置３０７は、たとえば、ニッケル水素電池あるいはリチウムイオン電池等の二次電池を用いて構成される。蓄電装置３０７は、電力を貯蔵できる蓄電装置であればよく、たとえば、蓄電装置３０７に代えて大容量のキャパシタが用いられてもよい。
【００５５】
インバータ３０８は、交流電力と直流電力との間で電力を変換する電力変換装置である。インバータ３０８は、たとえば、蓄電装置３０７の直流電力を交流電力に変換してモータジェネレータ３０９に供給する。また、インバータ３０８は、たとえば、モータジェネレータ３０９からの交流電力（回生電力）を直流電力に変換して蓄電装置３０７に供給して、蓄電装置３０７を充電する。
【００５６】
モータジェネレータ３０９は、インバータ３０８からの電力供給を受けて駆動輪３１２に回転力を与える。駆動輪３１２は、モータジェネレータ３０９によって与えられた回転力によって回転し、車両３００を走行させる。
【００５７】
インレット３１１は、車両３００の外装部分にリッド等のカバー（図示せず）とともに設けられる。インレット３１１は、充電コネクタ９０２が取り付け可能な形状を有する。インレット３１１および充電コネクタ９０２の双方には接点が内蔵されており、インレット３１１に充電コネクタ９０２が取り付けられると接点同士が接触して、インレット３１１と充電コネクタ９０２とが電気的に接続される。
【００５８】
充電スタンド９００は、車両３００の外部に設置され、充電ケーブル９０４を経由して充電コネクタ９０２に接続される。充電スタンド９００は、電源８００と電気的に接続されており、インレット３１１に充電コネクタ９０２が取り付けられた場合に、電源８００の電力が充電スタンド９００、充電ケーブル９０４および充電コネクタ９０２を経由して車両３００に供給される。
【００５９】
図３は、実施の形態１に係る料金設定サーバ１００の制御部１３０の構成を示す機能ブロック図である。制御部１３０は、情報取得部１３１と、撮像指示部１３２と、人数設定部１３３と、比較部１３５と、料金設定部１３７とを含む。
【００６０】
情報取得部１３１は、車両３００から利用開始情報、利用終了情報、車両情報、位置情報、車内画像データなどを通信部１１０を介して取得する。また、情報取得部１３１は、通信端末２００から車内画像データなどを通信部１１０を介して取得する。
【００６１】
撮像指示部１３２は、通信端末２００または車両３００に車内の搭乗者の撮像を要求する撮像要求を送信する。撮像指示部１３２は、たとえば、車両３００から利用開始情報および利用終了情報を取得したときに、通信端末２００または車両３００に撮像要求を送信する。なお、撮像指示部１３２は、通信端末２００および車両３００の少なくともいずれか一方に対して撮像要求を送信する。
【００６２】
なお、撮像要求を送信するタイミングは、車両３００の位置情報を利用してもよい。たとえば、車両３００をＲＥＡＤＹ−ＯＦＦ状態からＲＥＡＤＹ−ＯＮ状態に移行させると、車両の位置情報取得部３４０が車両３００の位置情報を取得して、料金設定サーバ１００に送信する。送信された位置情報の示す位置が車両３００の貸出場所であった場合に撮像要求を送信してもよい。また、車両３００がＲＥＡＤＹ−ＯＮ状態において、定期的に取得される車両３００の位置情報の示す位置が、車両３００の返却場所になったときに撮像要求を送信してもよい。
【００６３】
人数設定部１３３は、通信端末２００から情報取得部１３１が取得した車内画像データ、または、車両３００から情報取得部１３１が取得した車内画像データから、車内に乗車している人数を特定して、乗車人数として設定する。画像データから、乗車人数を特定する方法は、顔検出手段などの周知の技術が用いられればよく、その詳細な説明は行なわない。なお、料金設定システム１の全体構成の説明においては、料金設定サーバ１００が、画像データから乗車人数を特定する例を示すが、通信端末２００または車両３００が乗車人数を特定してもよい。その場合、通信端末２００または車両３００から特定した乗車人数を取得し、人数設定部１３３は乗車人数を設定する。なお、車内画像データは、本開示における「乗車人数の情報」に相当する。
【００６４】
比較部１３５は、車両３００の利用開始時に人数設定部１３３によって設定された乗車人数と、利用終了時に人数設定部１３３によって設定された人数とを比較する。
【００６５】
料金設定部１３７は、比較部１３５の比較結果などに応じて、車両３００を利用したユーザに課金するＥＶカーシェアリングの利用料金を設定する。利用料金の設定の詳細については後述する。
【００６６】
（ＥＶカーシェアリングについて）
【００６７】
近年、環境問題等への対策の観点などから、カーシェアリングが普及してきている。その中でも、電気自動車の普及に伴なって、より環境問題等への対策が進められるＥＶカーシェアリングの普及が望まれている。
【００６８】
さらに、シェアカーを多人数で乗車することにより、環境問題等への対策がさらに加速される。
【００６９】
そこで、シェアカーに多人数で乗車することを促進させつつ、ＥＶカーシェアリングの普及につながるようなＥＶカーシェアリングの料金設定システムが望まれるが、そのような料金設定システムがなかった。
【００７０】
＜実施の形態１＞
【００７１】
実施の形態１においては、料金設定サーバ１００は、車両３００から車内画像データ（乗車人数の情報）を取得する。そして、料金設定サーバ１００は、取得した車内画像データから乗車している人数を特定し、乗車人数として設定する。料金設定サーバ１００は、設定した乗車人数が多い場合、乗車人数が少ない場合よりも低額の利用料金を設定する。
【００７２】
このように、料金設定サーバは、シェアカーに乗車している人数を特定して、乗車人数が多い場合は、乗車人数が少ない場合よりも低額のＥＶカーシェアリングの利用料金を設定する。これによって、多人数でシェアカーに乗車することが促進され、環境問題等への対策につながる。また、料金面でのメリットが得られることから、ＥＶカーシェアリングの利用が促進される。
【００７３】
なお、実施の形態１においては、通信端末２００は用いられなくともよい。料金設定サーバ１００が、通信端末２００から車内画像データ（乗車人数の情報）を取得する例については、実施の形態２で説明する。
【００７４】
（ユーザリスト５００について）
【００７５】
図４は、実施の形態１に係る料金設定サーバ１００に記憶されるユーザリスト５００の構成の一例を示す図である。図４に示すように、ユーザリスト５００には、「ユーザＩＤ」で特定されるユーザ毎に「多人数割の適用」と、「乗車時人数」と、「降車時人数」と、「多人数割の割引率」と、「利用電力量」とが登録されている。なお、ユーザリスト５００は、記憶部１２０に記憶される。
【００７６】
「ユーザＩＤ」は、ＥＶカーシェアリングの利用登録が完了すると、ユーザに対して設定され、ユーザを特定するために用いられる。
【００７７】
「多人数割の適用」は、ＥＶカーシェアリングの利用開始時に、ユーザが、多人数でシェアカーを利用すれば利用料金が割り引かれる多人数割の適用を希望したか否かが登録される。ユーザが多人数割の適用を希望していない場合は「なし」が登録され、ユーザが多人数割の適用を希望している場合は「あり」が登録される。
【００７８】
「乗車時人数」は、車両３００の利用開始時に撮像された車内画像データを用いて、料金設定サーバ１００が特定した人数が登録される。
【００７９】
「降車時人数」は、車両３００の利用終了時に撮像された車内画像データを用いて、料金設定サーバ１００が特定した人数が登録される。
【００８０】
「多人数割の割引率」は、後述する方法によって設定された乗車人数を、後述の割引適用リスト７００に照合させて設定された多人数割の割引率が登録される。
【００８１】
「利用電力量」は、ユーザが車両３００のＥＶカーシェアリングによって利用した電力量が登録される。当該電力量と多人数割の割引率を適用した電力単価との積算によって、今回の車両３００の利用による利用料金が設定される。
【００８２】
ユーザＩＤ：００１のユーザは、多人数割の適用を希望していないため、乗車時人数、降車時人数、多人数割の割引率は登録されておらず、利用電力量のみが登録されている。
【００８３】
ユーザＩＤ：００２のユーザは、多人数割の適用を希望しており、乗車時人数が２人、降車時人数が２人が登録されている。そのため、後述する方法により、料金設定サーバ１００によって、乗車人数は２人と設定されて、後述の割引適用リスト７００に照合させて多人数割の割引率Ａ２と設定されている。
【００８４】
ユーザＩＤ：００３のユーザは、多人数割の適用を希望しており、乗車時人数が４人、降車時人数が３人が登録されている。そのため、後述する方法により、料金設定サーバ１００によって、乗車人数は３人と設定されて、後述の割引適用リスト７００に照合させて多人数割の割引率Ａ３と設定されている。
【００８５】
（割引適用リスト７００）
【００８６】
図５は、実施の形態１に係る料金設定サーバ１００に記憶される割引適用リスト７００の構成の一例を示す図である。割引適用リスト７００は、多人数割の割引率を設定するためのリストである。具体的には、料金設定サーバ１００が、取得した多人数割の適用希望と設定された乗車人数とを割引適用リスト７００に照合させることにより、多人数割の割引率を設定する。なお、割引適用リスト７００は、記憶部１２０に記憶される。
【００８７】
図５に示すように、実施の形態１においては、割引適用リスト７００には、「多人数割の適用」と、「乗車人数」と、「多人数割の割引率」との項目が設定されている。料金設定サーバ１００は、多人数割の適用と、設定された乗車人数とを、割引適用リスト７００に照合させて、多人数割の割引率を設定する。
【００８８】
ユーザが多人数割の適用を希望していない場合（多人数割の適用「なし」）は、多人数割の適用は設定されない。
【００８９】
ユーザが多人数割の適用を希望している場合（多人数割の適用「あり」）は、乗車人数によって、異なる多人数割の割引率が設定される。多人数割の割引率は、割引率Ａ２、Ａ３、Ａ４の順に割引率が大きく設定される（Ａ２＜Ａ３＜Ａ４）。
【００９０】
乗車人数が１人であった場合は、多人数割の適用は設定されない。乗車人数が２人であった場合は、多人数割の割引率は、割引率Ａ２が設定される。乗車人数が３人であった場合は、多人数割の割引率は、割引率Ａ３が設定される。乗車人数が４人以上であった場合は、多人数割の割引率は、割引率Ａ４が設定される。なお、実施の形態１においては、乗車人数が４人以上の場合は一律に割引率Ａ４が設定される例を示すが、乗車人数が４人以上の場合も乗車人数に応じて異なる割引率を設定してもよい。
【００９１】
（利用料金の設定方法について）
【００９２】
図６は、実施の形態１に係る料金設定サーバ１００および車両３００で実行される車両３００の利用開始時の処理を示すフロー図である。この処理は、料金設定システム１において、ユーザがＥＶカーシェアリングの利用を開始する毎に実行される。なお、図６に示すフローチャートに示される各ステップは、料金設定サーバ１００および車両３００によるソフトウェア処理によって実現されるが、その一部が料金設定サーバ１００および車両３００内に作製されたハードウェア（電気回路）によって実現されてもよい。図７に示すフローチャートに示される各ステップも同様である。
【００９３】
車両３００は、利用開始処理が行われると、利用開始情報を料金設定サーバ１００に送信する（ステップ３００、以下ステップを「Ｓ」と略す）。なお、利用開始処理とは、たとえば、車両３００がＲＥＡＤＹ−ＯＦＦ状態からＲＥＡＤＹ−ＯＮ状態に移行した場合である。車両の利用開始および利用終了を、車両３００へのカードキーの抜き差しで検出するようなＥＶカーシェアリングにおいては、車両３００へのカードキーの挿入であってもよい。
【００９４】
料金設定サーバ１００は、利用開始情報を取得すると、多人数割の適用が希望されているか否かを判定する（Ｓ１００）。実施の形態１においては、ユーザが通信端末２００から車両３００の予約を行なう際に、多人数割の適用希望の有無の入力がなされ、ユーザリスト５００に登録されている。
【００９５】
料金設定サーバ１００は、多人数割の適用が希望されていないと判定すると（Ｓ１００においてＮＯ）、記憶部１２０から割引適用リスト７００を読み出して、割引適用リスト７００と照合し、ＥＶカーシェアリングの利用料金の基準料金（多人数割の適用なし）を、利用料金として特定する（Ｓ１３０）。そして、料金設定サーバ１００は、特定した基準料金を車両３００に表示させるための表示情報を、車両３００に送信する（Ｓ１２５）。
【００９６】
料金設定サーバ１００は、多人数割の適用が希望されていると判定すると（Ｓ１００においてＹＥＳ）、車内の搭乗者の撮像を指示する撮像指示情報（撮像要求）を車両３００に送信する（Ｓ１０５）。
【００９７】
車両３００は、料金設定サーバ１００から撮像指示情報を受信すると（Ｓ３０５においてＹＥＳ）、車内の撮影を行ない、車内の搭乗者を撮影した撮像情報（車内画像データ）を料金設定サーバ１００に送信する（Ｓ３１０）。車両３００は、一定時間内に撮像指示情報を受信しない場合（Ｓ３０５においてＮＯ）、料金設定サーバ１００から表示情報を取得するまで待機し、表示情報を取得すると、後述するＳ３２０の処理を行なう。
【００９８】
料金設定サーバ１００は、車両３００から撮像情報を取得すると、撮像情報を用いて、車両３００の乗車時（利用開始時）の乗車人数を特定し、乗車時人数として設定しユーザリスト５００に記憶する（Ｓ１１０）。料金設定サーバ１００は、設定した乗車時人数が２名以上であるか否かを判定し（Ｓ１１５）、乗車時人数が２名未満、つまり１名と判定すると（Ｓ１１５においてＮＯ）、記憶部１２０から割引適用リスト７００を読み出して、割引適用リスト７００と照合し、利用料金として基準料金を特定する（Ｓ１３０）。そして、料金設定サーバ１００は、特定した割引率を車両３００に表示させるための表示情報を、車両３００に送信する（Ｓ１２５）。
【００９９】
料金設定サーバ１００は、設定した乗車時人数が２名以上であると判定すると（Ｓ１１５においてＹＥＳ）、記憶部１２０から割引適用リスト７００を読み出して、割引適用リスト７００と照合し、乗車人数に応じた多人数割の割引率を特定する（Ｓ１２０）。そして、料金設定サーバ１００は、特定した割引率を車両３００に表示させるための表示情報を、車両３００に送信する（Ｓ１２５）。特定した割引率を車両３００に表示させるのは、利用開始時における利用料金の目安としてユーザに通知するためである。ユーザは、当該表示をもって、車両３００の利用開始時に利用料金の目安を認識することができる。なお、特定した割引率と基準料金とを表示させてもよいし、特定した割引率を適用した料金を表示させてもよい。
【０１００】
車両３００は、料金設定サーバ１００から表示情報を受信すると、利用開始時に特定された割引率を目安として表示する（Ｓ３２０）。なお、割引率を表示するのは、たとえば、車両３００に搭載されたナビゲーション装置でもよいし、別途設けられた表示装置であってもよい。
【０１０１】
図７は、実施の形態１に係る料金設定サーバ１００および車両３００で実行される車両３００の利用終了時の処理を示すフロー図である。この処理は、料金設定システム１において、ユーザがＥＶカーシェアリングの利用を終了する際に実行される。
【０１０２】
車両３００は、利用終了処理が行われると、利用終了情報を料金設定サーバ１００に送信する（Ｓ３５０）。なお、利用終了処理とは、たとえば、ユーザが車両３００に搭載されたナビゲーション装置から利用終了の操作を行なうことや、車両３００に別途設けられた表示装置から利用終了の操作を行なうことなどである。たとえば、ユーザがナビゲーション装置を操作する場合、ユーザの自発的な操作であってもよいし、料金設定サーバ１００が車両３００から取得した車両３００の位置情報を用いて、設定された返却地に車両３００が近づいた際にナビゲーション装置に利用終了ボタンを表示させてもよい。また、車両の利用開始および利用終了を、車両３００へのカードキーの抜き差しで検出するようなＥＶカーシェアリングにおいては、利用終了処理は、車両３００へのカードキーを抜く操作であってもよい。
【０１０３】
料金設定サーバ１００は、利用終了情報を取得すると、ユーザリスト５００を参照して多人数割の適用が希望されているか否かを判定する（Ｓ１５０）。
【０１０４】
料金設定サーバ１００は、多人数割の適用が希望されていないと判定すると（Ｓ１５０においてＮＯ）、記憶部１２０から割引適用リスト７００を読み出して、割引適用リスト７００と照合し、ＥＶカーシェアリングの利用料金の基準料金を、利用料金として設定する（Ｓ１９５）。
【０１０５】
料金設定サーバ１００は、多人数割の適用が希望されていると判定すると（Ｓ１５０においてＹＥＳ）、車内の搭乗者の撮像を指示する撮像指示情報（撮像要求）を車両３００に送信する（Ｓ１５５）。
【０１０６】
車両３００は、料金設定サーバ１００から撮像指示情報を受信すると（Ｓ３５５においてＹＥＳ）、車内の撮影を行ない、車内の搭乗者を撮像した撮像情報を料金設定サーバ１００に送信する（Ｓ３６０）。車両３００は、一定時間内に撮像指示情報を受信しない場合（Ｓ３５５においてＮＯ）、処理を終了する。
【０１０７】
料金設定サーバ１００は、車両３００から撮像情報を取得すると、撮像情報を用いて、車両３００の降車時（利用終了時）の乗車人数を特定し、降車時人数として設定してユーザリスト５００に記憶する（Ｓ１６０）。料金設定サーバ１００は、ユーザリスト５００を参照して、利用開始時の乗車人数を読み出す（Ｓ１６５）。
【０１０８】
料金設定サーバ１００は、利用開始時における乗車人数（乗車時人数）と利用終了時における乗車人数（降車時人数）とが一致するかを判定する（Ｓ１７０）。料金設定サーバ１００は、利用開始時における乗車人数と利用終了時における乗車人数とが一致しない場合（Ｓ１７０においてＮＯ）、利用終了時の乗車人数を車両３００の乗車人数として設定する（Ｓ１７５）。料金設定サーバ１００は、利用開始時における乗車人数と利用終了時における乗車人数とが一致した場合（Ｓ１７０においてＹＥＳ）、当該一致した人数を車両３００の乗車人数として設定する（Ｓ１８０）。
【０１０９】
料金設定サーバ１００は、設定した乗車人数が２名以上であるか否かを判定し（Ｓ１８５）、乗車人数が２名未満、つまり１名と判定すると（Ｓ１８５においてＮＯ）、記憶部１２０から割引適用リスト７００を読み出して、割引適用リスト７００と照合し、利用料金として基準料金を設定する（Ｓ１９５）。
【０１１０】
料金設定サーバ１００は、設定した乗車人数が２名以上であると判定すると（Ｓ１８５においてＹＥＳ）、記憶部１２０から割引適用リスト７００を読み出して、割引適用リスト７００と照合し、乗車人数に応じた多人数割の割引率を特定する（Ｓ１９０）。そして、料金設定サーバ１００は、特定した割引率を適用して利用料金を設定する（Ｓ１９５）。
【０１１１】
以上のように、実施の形態１においては、料金設定サーバ１００は、車両３００から撮像情報である車内画像データ（乗車人数の情報）を取得する。そして、料金設定サーバ１００は、取得した車内画像データから乗車している人数を特定し乗車人数を設定する。料金設定サーバ１００は、設定された乗車人数が多い場合、乗車人数が少ない場合よりも低額の利用料金を設定する。
【０１１２】
このように、料金設定サーバ１００は、シェアカーに乗車している人数を特定して乗車人数として設定し、乗車人数が多い場合は、乗車人数が少ない場合よりも低額のカーシェアリングの利用料金を設定する。これによって、多人数でシェアカーに乗車することが促進され、環境問題等への対策につながる。また、料金面でのメリットが得られることから、カーシェアリングの利用が促進される。
【０１１３】
また、料金設定サーバ１００は、利用開始時に乗車時人数を設定し、当該乗車時人数で車両３００の乗車人数が設定された場合に適用される割引率を、利用開始時に車両３００に表示させる。
【０１１４】
これによって、ユーザは、車両３００の利用開始時に利用料金の目安を認識することができる。
【０１１５】
また、料金設定サーバ１００は、車両３００の利用終了時の乗車人数（降車時人数）を用いて、利用料金を設定する。
【０１１６】
これによって、車両の利用終了時における乗車人数が利用料金の設定に用いられる。一般に、利用終了の時刻は確定させにくいため、乗車人数の確認が行われる時点においてのみ他人を乗車させて、多人数乗車による利用料金の割引を受けるという不正を抑制することができる。
【０１１７】
また、料金設定サーバ１００は、車両３００の利用開始時の乗車人数（乗車時人数）と、車両３００の利用終了時の乗車人数（降車時人数）とが異なる場合、車両３００の利用終了時の乗車人数を用いて利用料金を設定する。
【０１１８】
一般に、利用終了の時刻よりも利用開始の時刻の方が確定させやすいため、利用開始時は、利用終了時に比べて乗車人数の確認が行われる時点においてのみ他人を乗車させて、多人数乗車による利用料金の割引を受けるという不正が行われる可能性が高い。そのため、車両の利用開始時と利用終了時とにおいて乗車人数が異なる場合、利用終了時の乗車人数が利用料金の計算に用いることにより、上記のような不正を抑制することができる。
【０１１９】
また、車両３００が電気自動車である例について説明した。
【０１２０】
ＥＶカーシェアリングの利用が促進されることによって、ガソリン車やディーゼル車などのカーシェアリングからＥＶカーシェアリングにシフトが進み、より環境問題等への対策が進められる。
【０１２１】
また、料金設定サーバ１００は、車内画像データを用いて車両３００の乗車人数を設定した。
【０１２２】
これによって、シェアカーに搭載されている車載カメラを有効利用することができる。一般に、シェアカーには防犯目的で車載カメラが搭載されていることが多い。当該車載カメラを利用することによって、新たな設備投資を行なうことなく本開示の適用が可能となる。
【０１２３】
なお、実施の形態１においては、料金設定サーバ１００は、車両３００の利用開始時の乗車人数および車両３００の利用終了時の乗車人数を用いて利用料金を設定したが、いずれか一方のみを用いて利用料金を設定してもよい。
【０１２４】
この場合、搭乗者を撮像して乗車人数を設定する処理を車両３００の利用開始時または利用終了時のいずれか一方でのみ行なえばよいので、処理を簡素化できる。
【０１２５】
また、実施の形態１においては、料金設定システム１は、利用開始時および利用終了時に、車内の搭乗者を撮影したが、車内の搭乗者を撮影するタイミングは、利用開始時および利用終了時に限られるものではない。たとえば、車両３００の利用中における任意のタイミングであってもよい。
【０１２６】
車両３００の利用中の任意のタイミングで車内の搭乗者を撮影することによって、車内の撮影時のみ他人を乗車させて、多人数乗車による利用料金の割引を受けるという不正を抑制することができる。なお、車内の搭乗者を撮影する任意のタイミングの設定は、たとえば、車両３００の利用開始から予め設定された所定時間を経過した時点に設定したり、車両３００の利用開始からの予め設定された走行距離を走行した時点に設定したり、種々の設定方法が適用可能である。
【０１２７】
また、実施の形態１においては、ユーザが多人数割の適用を希望した場合、乗車人数が２人以上の場合に多人数割が適用される例を示したが、多人数割が適用される乗車人数は２人以上に限られるものではなく、任意の人数を設定すればよい。たとえば、多人数割が適用される乗車人数は３人以上でもよいし、４人以上でもよい。
【０１２８】
また、実施の形態１においては、多人数割が適用される場合、乗車人数に応じて多人数割の割引率が設定される例を説明したが、割引が適用されればよい。たとえば、乗車人数が一定数以上であれば、乗車人数に関係なく一律の割引率が設定される多人数割であってもよい。
【０１２９】
また、実施の形態１においては、車内の搭乗者を撮影した車内画像データを用いて料金設定サーバ１００が乗車している人数を特定して乗車人数を設定したが、乗車している人数の特定は車両３００が行なってもよい。この場合、車両３００が特定した乗車している人数を、料金設定サーバ１００が取得して乗車人数を設定する。
【０１３０】
また、実施の形態１においては、乗車人数を特定する手段として、車内の搭乗者を撮影した車内画像データを用いたが、乗車人数を特定することができればよい。たとえば、車両３００の各座席に設けた着座センサを用いて乗車人数が特定されてもよいし、ユーザのナビゲーション装置への人数入力でもよいし、オペレータによって車載カメラを用いた確認や音声による確認であってもよい。
【０１３１】
＜実施の形態２＞
【０１３２】
実施の形態１においては、料金設定サーバ１００が、車両３００から車内画像データを取得する例を説明した。料金設定サーバ１００は、通信端末２００から車内画像データを取得してもよい。以下においては、料金設定サーバ１００が、通信端末２００から車内画像データを取得する例について説明する。
【０１３３】
なお、実施の形態２においては、多人数割の割引率の設定に、利用終了時の乗車人数（降車時人数）を用いる例について説明する。利用開始時の乗車人数（乗車時人数）は、車両３００の利用開始時における利用料金の目安の表示に用いられる。実施の形態２においても、実施の形態１と同様に、利用開始時の乗車人数および利用終了時の乗車人数を用いて多人数割の割引率を設定してもよい。
【０１３４】
図８は、実施の形態２に係る料金設定サーバ１００、通信端末２００および車両３００で実行される車両３００の利用開始時の処理を示すフロー図である。この処理は、料金設定システム１において、ユーザがＥＶカーシェアリングの利用を開始する毎に実行される。なお、図８に示すフローチャートに示される各ステップは、料金設定サーバ１００、通信端末２００および車両３００によるソフトウェア処理によって実現されるが、その一部が料金設定サーバ１００および車両３００内に作製されたハードウェア（電気回路）によって実現されてもよい。図９に示すフローチャートに示される各ステップも同様である。
【０１３５】
車両３００は、利用開始処理が行われると、利用開始情報を料金設定サーバ１００に送信する（Ｓ５００）。
【０１３６】
料金設定サーバ１００は、利用開始情報を取得すると、多人数割の適用が希望されているか否かを判定する（Ｓ４００）。
【０１３７】
料金設定サーバ１００は、多人数割の適用が希望されていないと判定すると（Ｓ４００においてＮＯ）、記憶部１２０から割引適用リスト７００を読み出して、割引適用リスト７００と照合し、基準料金を利用料金として特定する（Ｓ４３０）。そして、料金設定サーバ１００は、特定した基準料金を通信端末２００に表示させるための表示情報を、通信端末２００に送信する（Ｓ４２５）。
【０１３８】
通信端末２００は、表示情報を料金設定サーバ１００から受信すると、表示情報に基づいた表示を表示部２５０に行なう（Ｓ２２０）。
【０１３９】
料金設定サーバ１００は、多人数割の適用が希望されていると判定すると（Ｓ４００においてＹＥＳ）、車内の搭乗者の撮像を指示する撮像指示情報（撮像要求）を通信端末２００に送信する（Ｓ４０５）。
【０１４０】
通信端末２００は、料金設定サーバ１００から撮像指示情報を受信すると（Ｓ２００においてＹＥＳ）、車内の撮影を行なうようユーザに通知し、ユーザによって撮影が行われると車内の搭乗者を撮影した撮像情報を料金設定サーバ１００に送信する（Ｓ２１０）。通信端末２００は、撮像指示情報を受信しない場合（Ｓ２００においてＮＯ）、処理をＳ２１５に進める。
【０１４１】
通信端末２００は、料金設定サーバ１００から表示情報を取得したか否かを判定する（Ｓ２１５）。通信端末２００は、料金設定サーバ１００から表示情報を取得していない場合は（Ｓ２１５においてＮＯ）、処理をＳ２００に戻す。通信端末２００は、料金設定サーバ１００から表示情報を取得すると（Ｓ２１５においてＹＥＳ）、Ｓ２２０の処理を行なう。
【０１４２】
料金設定サーバ１００は、通信端末２００から撮像情報を取得すると、撮像情報を用いて、車両３００の乗車時（利用開始時）の乗車人数を特定して、乗車時人数として設定しユーザリスト５００に記憶する（Ｓ４１０）。料金設定サーバ１００は、設定した乗車時人数が２名以上であるか否かを判定し（Ｓ４１５）、乗車時人数が２名未満、つまり１名と判定すると（Ｓ４１５においてＮＯ）、記憶部１２０から割引適用リスト７００を読み出して、割引適用リスト７００と照合し、利用料金として基準料金を特定する（Ｓ４３０）。そして、料金設定サーバ１００は、特定した割引率を、通信端末２００に表示させるための表示情報を通信端末２００に送信する（Ｓ４２５）。
【０１４３】
料金設定サーバ１００は、設定した乗車時人数が２名以上であると判定すると（Ｓ４１５においてＹＥＳ）、記憶部１２０から割引適用リスト７００を読み出して、割引適用リスト７００と照合し、乗車時人数に応じた多人数割の割引率を特定する（Ｓ４２０）。そして、料金設定サーバ１００は、特定した割引率を、通信端末２００に表示させるための表示情報を通信端末２００に送信する（Ｓ４２５）。
【０１４４】
通信端末２００は、料金設定サーバ１００から表示情報を受信すると（Ｓ２１５においてＹＥＳ）、利用開始時に特定された割引率を目安として表示部２５０に表示する（Ｓ２２０）。実施の形態と同様に、これによって、ユーザは、当該表示をもって、車両３００の利用開始時に利用料金の目安を認識することができる。
【０１４５】
なお、実施の形態２においては、特定した割引率を通信端末２００に表示させる例について説明したが、表示させるのは車両３００でもよい。その場合、料金設定サーバ１００は、Ｓ４２５において表示情報を車両３００に送信する。
【０１４６】
図９は、実施の形態２に係る料金設定サーバ１００、通信端末２００および車両３００で実行される車両３００の利用終了時の処理を示すフロー図である。この処理は、料金設定システム１において、ユーザがＥＶカーシェアリングの利用を終了する際に実行される。
【０１４７】
車両３００は、利用終了処理が行われると、利用終了情報を料金設定サーバ１００に送信する（Ｓ５５０）。
【０１４８】
料金設定サーバ１００は、利用終了情報を取得すると、ユーザリスト５００を参照して多人数割の適用が希望されているか否かを判定する（Ｓ４５０）。
【０１４９】
料金設定サーバ１００は、多人数割の適用が希望されていないと判定すると（Ｓ４５０においてＮＯ）、記憶部１２０から割引適用リスト７００を読み出して、割引適用リスト７００と照合し、基準料金を利用料金として設定する（Ｓ４７５）。
【０１５０】
料金設定サーバ１００は、多人数割の適用が希望されていると判定すると（Ｓ４５０においてＹＥＳ）、車内の状態の撮像を指示する撮像指示情報（撮像要求）を通信端末２００に送信する（Ｓ４５５）。
【０１５１】
通信端末２００は、料金設定サーバ１００から撮像指示情報を受信すると（Ｓ２５０においてＹＥＳ）、車内の撮影を行ない、車内の搭乗者を撮影した撮像情報を料金設定サーバ１００に送信する（Ｓ２６０）。通信端末２００は、撮像指示情報を受信しない場合（Ｓ２５０においてＮＯ）、処理を終了する。
【０１５２】
料金設定サーバ１００は、通信端末２００から撮像情報を取得すると、撮像情報を用いて、車両３００の降車時（利用終了時）の乗車人数を特定し、降車時人数として設定してユーザリスト５００に記憶する（Ｓ４６０）。
【０１５３】
料金設定サーバ１００は、設定した降車時人数が２名以上であるか否かを判定し（Ｓ４６５）、降車時人数が２名未満、つまり１名と判定すると（Ｓ４６５においてＮＯ）、記憶部１２０から割引適用リスト７００を読み出して、割引適用リスト７００と照合し、利用料金として基準料金を設定する（Ｓ４７５）。
【０１５４】
料金設定サーバ１００は、設定した降車時人数が２名以上であると判定すると（Ｓ４６５においてＹＥＳ）、記憶部１２０から割引適用リスト７００を読み出して、割引適用リスト７００と照合し、降車時人数に応じた多人数割の割引率を特定する（Ｓ４７０）。そして、料金設定サーバ１００は、特定した割引率を適用して利用料金を設定する（Ｓ４７５）。
【０１５５】
以上のように、実施の形態２においては、料金設定サーバ１００は、通信端末２００から撮像情報である車内画像データ（乗車人数の情報）を取得する。そして、料金設定サーバ１００は、取得した車内画像データから乗車している人数を特定し乗車人数として設定する。料金設定サーバ１００は、設定した乗車人数が多い場合、乗車人数が少ない場合よりも低額の利用料金を設定する。
【０１５６】
このように、ユーザの通信端末２００を用いて乗車人数を特定することが可能となる。車両３００に車載カメラが搭載されていない場合であっても、新たな車載カメラを搭載させることなく、本開示が適用可能となる。
【０１５７】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【０１５８】
１  料金設定システム、１００  料金設定サーバ、１１０  通信部、１２０  記憶部、１３０  制御部、１３０ａ  ＣＰＵ、１３０ｂ  メモリ、１３１  情報取得部、１３２  撮像指示部、１３３  人数設定部、１３５  比較部、１３７  料金設定部、１４０  通信バス、２００  通信端末、２１０  通信部、２２０  記憶部、２３０  制御部、２４０  入力部、２５０  表示部、２６０  撮像部、２７０  表示リスト、２８０  通信バス、３００  車両、３０１  通信部、３０２  記憶部、３０３  制御部、３０４  位置情報取得部、３０５  充電器、３０６  通信バス、３０７  蓄電装置、３０８  インバータ、３０９  モータジェネレータ、３１０  通信部、３１１  インレット、３１２  駆動輪、３２０  記憶部、３３０  制御部、３４０  位置情報取得部、３５０  撮像部、３６０  通信バス、５００  ユーザリスト、６００  通信ネットワーク、７００  割引適用リスト、８００  電源、９００  充電スタンド、９０２  充電コネクタ、９０４  充電ケーブル。
【図１】
2019096213.tif 000003
【図２】
2019096213.tif 000004
【図３】
2019096213.tif 000005
【図４】
2019096213.tif 000006
【図５】
2019096213.tif 000007
【図６】
2019096213.tif 000008
【図７】
2019096213.tif 000009
【図８】
2019096213.tif 000010
【図９】
2019096213.tif 000011